(57)【要約】【課題】商品の陳列作業時に商品落下防止板が邪魔にならない商品陳列ユニットを提供する。【解決手段】  商品Xを陳列する商品陳列棚に設けられ、商品Xの後方側を支持するための商品陳列スタンド１００と、商品Xが落下しないように商品Xの前方を支持する商品落下防止板２００とを備える商品陳列ユニット３００であって、商品陳列スタンド１００は、レール部１１０と、レール部１１０上を移動可能なスタンド部１２０とを備え、商品落下防止板２００は、スタンド部１２０の前方に設けられ、レール部１１０に対して回動可能に固定されており、商品落下防止板２００が前方へ回動しないように、商品落下防止板２００の回動を規制する規制部２３０を備えることを特徴とする。【選択図】図１
2020178877.tif 000002
【特許請求の範囲】
【請求項１】
商品を陳列する商品陳列棚に設けられ、商品の後方側を支持するための商品陳列スタンドと、前記商品が落下しないように前記商品の前方を支持する商品落下防止板とを備える商品陳列ユニットであって、
前記商品陳列スタンドは、レール部と、当該レール部上を移動可能なスタンド部とを備え、
前記商品落下防止板は、前記スタンド部の前方に設けられ、前記レール部に対して回動可能に固定されており、
前記商品落下防止板が前方へ回動しないように、前記商品落下防止板の回動を規制する規制部を備えることを特徴とする商品陳列ユニット。
【請求項２】
後方へ回動した前記商品落下防止板は、防止板用付勢部材により、元の状態へ復帰するように付勢されていることを特徴とする請求項１に記載の商品陳列ユニット。
【請求項３】
前記スタンド部は、スタンド部用付勢部材により、前方へ向けて付勢されていることを特徴とする請求項１又は２に記載の商品陳列ユニット。
【発明の詳細な説明】
【技術分野】
【０００１】
本願発明は、店舗等で商品を陳列するための商品陳列ユニットに関するものである。
【背景技術】
【０００２】
従来から、特許文献１に示すような商品陳列ユニットでは、商品を陳列するための商品陳列棚上に、商品が倒れないように商品背面を支持する商品陳列スタンドが設置されていた。また、商品が前方へ倒れて商品陳列棚から落下するのを防止するために、商品前面を支持する商品落下防止板を備えていた。
【０００３】
そして、店員等が商品陳列棚上に商品を陳列する際は、商品陳列棚の前方側から、商品を並べていた。しかし、商品陳列棚の前方に固定された商品落下防止板を乗り越えるように、商品を陳列しなければならず、非常に面倒であった。さらに、商品の大きさや形状によっては、陳列作業時に、商品が商品落下防止板に接触してしまい、作業性が悪化していた。
【先行技術文献】
【特許文献】
【０００４】
【特許文献１】意匠登録１５６９４０６
【発明の開示】
【発明が解決しようとする課題】
【０００５】
そこで、本願発明は上記問題に鑑み、商品の陳列作業時に商品落下防止板が邪魔にならない商品陳列ユニットを提供することを目的としている。
【課題を解決するための手段】
【０００６】
本願発明の商品陳列ユニットは、商品を陳列する商品陳列棚に設けられ、商品の後方側を支持するための商品陳列スタンドと、前記商品が落下しないように前記商品の前方を支持する商品落下防止板とを備える商品陳列ユニットであって、前記商品陳列スタンドは、レール部と、当該レール部上を移動可能なスタンド部とを備え、前記商品落下防止板は、前記スタンド部の前方に設けられ、前記レール部に対して回動可能に固定されており、前記商品落下防止板が前方へ回動しないように、前記商品落下防止板の回動を規制する規制部を備えることを特徴とする。
【０００７】
上記特徴によれば、商品を陳列する際、商品が前方の商品落下防止板に当たる場合があるが、商品落下防止板は後方へ押されて回動するため、商品落下防止板は邪魔にならず、商品をスタンド部の前方へ容易に陳列することができる。さらに、商品落下防止板は、規制部によって前方側へ回動しないように規制されているので、商品陳列ユニット上に陳列された商品が商品落下防止板に寄りかかっても、商品落下防止板は前方へ回動することなく、商品を支持することができる。そのため、商品陳列ユニット上に陳列された商品が、前方から落下することを防止することができる。
【０００８】
さらに、本願発明の商品陳列ユニットは、後方へ回動した前記商品落下防止板は、防止板用付勢部材により、元の状態へ復帰するように付勢されていることを特徴とする。
【０００９】
上記特徴によれば、商品落下防止板が後方へ回動しても防止板用付勢部材の付勢力によって、商品落下防止板は元の状態へ自動的に復帰できる。
【００１０】
さらに、本願発明の商品陳列ユニットは、前記スタンド部は、スタンド部用付勢部材により、前方へ向けて付勢されていることを特徴とする。
【００１１】
上記特徴によれば、スタンド部の付勢力を利用して、商品落下防止板を元の状態へ復帰しやすくできる。
【発明の効果】
【００１２】
上記に記したように、本願発明の商品陳列ユニットによれば、商品の陳列作業時に商品落下防止板が邪魔にならないのである。
【図面の簡単な説明】
【００１３】
【図１】本願発明の実施形態１に係る商品陳列ユニットの全体斜視図である。
【図２】本願発明の実施形態１に係る商品陳列ユニットの平面図である。
【図３】（ａ）及び（ｂ）は、本願発明の実施形態１に係る商品陳列ユニットの側面図である。
【図４】（ａ）及び（ｂ）は、本願発明の実施形態２に係る商品陳列ユニットの側面図である。
【図５】本願発明の実施形態２に係る商品陳列ユニットの側面図である。
【符号の説明】
【００１４】
１００        商品陳列スタンド
１１０        レール部
１２０        スタンド部
２００        商品落下防止板
２３０        規制部
３００        商品陳列ユニット
X             商品
【発明を実施するための形態】
【００１５】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１６】
図１及び図２は、本願発明の実施形態１に係る商品陳列ユニット３００を示している。なお、図１は、商品陳列ユニット３００の全体斜視図、図２は、商品陳列ユニット３００の平面図である。また、本明細書で使用する「上方」とは、図１に示すように水平方向に延びる商品陳列ユニット３００のレール部１１０に対して、垂直方向の上側に向かう方向のことであり、「下方」とは、垂直方向の下側に向かう方向のことである。また、「前方」とは、レール部１１０の長尺方向における前側のことであり、「後方」とは、「前方」の反対側のことである。
【００１７】
図１及び図２に示すように、商品陳列ユニット３００は、商品陳列スタンド１００と商品落下防止板２００とを備える。この商品陳列スタンド１００は、長尺状のレール部１１０と、当該レール部１１０上に取り付けられたスタンド部１２０と、商品陳列棚の前面側の係合溝に係合する先端１３０と、商品陳列棚の後面側の係合溝に係合する後端１４０からなる。そして、商品陳列スタンド１００の先端１３０と後端１４０を、不図示の商品陳列棚の係合溝にそれぞれ係合させて、商品陳列スタンド１００は商品陳列棚上に固定される。
【００１８】
また、レール部１１０は、長尺方向の両辺において、平行に延びるレール溝１１１を備えている。そして、スタンド部１２０は、当該スタンド部１２０の底部の一部（不図示）がレール溝１１１に係合するように構成されており、当該スタンド部１２０はレール溝１１１に沿って長尺方向へ前後にスライドできるように構成されている。
【００１９】
また、スタンド部１２０の背面には、二本の脚部１２１が平行に設けられており、当該脚部１２１の間に挟まれるようにして、ぜんまい状のバネの形態のスタンド部用付勢部材１２２が取り付けられている。そして、スタンド部用付勢部材１２２の一端１２３は、レール部１１０の先端１３０の一部に固定されている。したがって、スタンド部１２０を後方へスライドさせると、レール部１１０の先端１３０に固定されたスタンド部用付勢部材１２２は、伸張していく。すると、スタンド部用付勢部材１２２には、縮む方向（ぜんまい状に復元する方向）に弾性力が働くので、スタンド部１２０には前方へ向かう付勢力が付与されることになる。そのため、商品陳列ユニット３００のレール部１１０上に陳列された商品は、スタンド部１２０によって常に前方へ押し出され、最前列に整列された状態を維持できる。
【００２０】
また、先端１３０は下方へ屈曲した係合片１３３を備えており、当該係合片１３３は商品陳列棚の係合溝に差し込んで固定できるように構成されている。同様に、後端１４０は下方へ屈曲した係合片１４３を備えており、当該係合片１４３は商品陳列棚の係合溝に差し込んで固定できるように構成されている。
【００２１】
また、商品落下防止板２００は、レール部１１０の先端１３０の一部に設けられており、スタンド部１２０の前方に位置している。さらに、商品落下防止板２００は、先端１３０の一部に設けられた回動軸２１０を中心に回動可能に構成されている。また、回動軸２１０の周囲には、捻りコイルバネ形態の防止板用付勢部材２２０が取り付けられている。この防止板用付勢部材２２０の付勢力によって、商品落下防止板２００は前方に向けて付勢された状態となっている。さらに、商品落下防止板２００が、前方側へ回動し過ぎないように、商品落下防止板２００の回動を規制する規制部２３０が設けられている。この規制部２３０は、レール部１１０の先端１３０から上方へ突出しており、商品落下防止板２００の壁面部２４０に当接している。そのため、規制部２３０は、商品落下防止板２００が前方へ回動しないように、ストッパーの役割を果たしている。また、壁面部２４０の上端側には切欠部２４１が設けられている。この切欠部２４１は、商品を陳列する際に、商品と壁面部２４０が過度に接触するのを避けるためのものである。
【００２２】
なお、図１及び図２では、商品陳列スタンド１００の先端１３０の係合片１３３と後端１４０の係合片１４３を、商品陳列棚の係合溝に差し込んで、商品陳列スタンド１００を商品陳列棚に取り付けていたが、これに限定されることはなく、商品陳列ユニット３００を商品陳列棚に取り付けることができれば、既存の取り付け構造を適宜採用することができる。
【００２３】
また、商品落下防止板２００は捻りコイルバネ形態の防止板用付勢部材２２０を備えているが、これに限定されることはなく、後方へ回動した商品落下防止板２００を元の状態へ復帰させるように、商品落下防止板２００を前方に向けて付勢できる部材であれば、板バネや、ゴム等の弾性材等、既存の部材を適宜採用することができる。同様に、スタンド部１２０は、ぜんまい状のバネの形態のスタンド部用付勢部材１２２を備えているが、これに限定されることはなく、スタンド部１２０を前方に向けて付勢できる部材であれば、ゴム等の弾性材等、既存の部材を適宜採用することができる。また、商品陳列ユニット３００を構成する素材は、金属や樹脂等の任意の素材を適宜採用できる。なお、スタンド部１２０は、スタンド部用付勢部材１２２を備えなくてもよく、任意に設けることができる。
【００２４】
では次に、本願発明の商品陳列ユニット３００の使用方法について、図３を参照して説明する。なお、図３（ａ）及び（ｂ）は、商品陳列ユニット３００の側面図である。
【００２５】
まず、商品陳列ユニット３００上に商品を陳列する際は、スタンド部１２０を後方へスライドさせて、レール部１１０上に商品Ｘを順次一列に並べる。最後尾の商品Ｘの後方は、スタンド部１２０によって支持されているので、商品Ｘが後方へ倒れ込むことは無い。また、商品Ｘを陳列する際、商品Ｘが前方の商品落下防止板２００に当たる場合があるが、図３（ｂ）に示すように、商品落下防止板２００は後方へ押されて回動するため、商品落下防止板２００は邪魔にならず、商品Ｘをスタンド部１２０の前方へ容易に陳列することができる。
【００２６】
さらに、商品落下防止板２００が後方へ回動しても防止板用付勢部材２２０の付勢力によって、図３（ａ）に示すように、商品落下防止板２００は元の状態へ自動的に復帰する。さらに、商品落下防止板２００は、規制部２３０によって前方側へ回動しないように規制されているので、商品陳列ユニット３００上に陳列された商品Ｘが商品落下防止板２００に寄りかかっても、商品落下防止板２００は前方へ回動することなく、商品Ｘを支持することができる。そのため、商品陳列ユニット３００上に陳列された商品Ｘが、前方から落下することを防止することができる。
【００２７】
次に、本願発明の実施形態２に係る商品陳列ユニット３００Ａの使用方法について、図４及び図５を参照して説明する。なお、図４（ａ）及び（ｂ）並びに図５は、商品陳列ユニット３００Ａの側面図である。また、本実施形態２に係る商品陳列ユニット３００Ａは、商品落下防止板２００Ａが防止板用付勢部材を備えない点で、実施形態１に係る商品陳列ユニット３００の構成と異なるが、その他の構成については、実施形態１に係る商品陳列ユニット３００の構成と同一であるため、詳細な説明は省略する。
【００２８】
まず、図４（ａ）に示すように、商品陳列ユニット３００Ａ上に商品を陳列する際は、スタンド部１２０Ａを後方へスライドさせて、レール部１１０Ａ上に商品Ｘを順次一列に並べる。その際、商品Ｘが前方の商品落下防止板２００Ａに当たる場合があるが、図４（ｂ）に示すように、商品落下防止板２００Ａは後方へ押されて回動するため、商品落下防止板２００Ａは邪魔にならず、商品Ｘをスタンド部１２０Ａの前方へ容易に陳列することができる。
【００２９】
そして、商品Ｘの陳列後、商品落下防止板２００Ａを前方側へ手動で回動させれば、図４（ａ）に示す状態となる。さらに、商品落下防止板２００Ａは、規制部２３０Ａによって前方側へ回動しないように規制されているので、商品陳列ユニット３００Ａ上に陳列された商品Ｘが商品落下防止板２００Ａに寄りかかっても、商品落下防止板２００Ａは前方へ回動することなく、商品Ｘを支持することができる。そのため、商品陳列ユニット３００Ａ上に陳列された商品Ｘが、前方から落下することを防止することができる。
【００３０】
また、図４では、後方へ回動して倒れた商品落下防止板２００Ａを、元の状態へ手動で戻していたが、図５に示すように、スタンド部１２０Ａの付勢力を利用して、商品落下防止板２００Ａを元の状態へ自動で戻すこともできる。
【００３１】
具体的には、図５に示すように、後方へスライドさせたスタンド部１２０Ａには、スタンド部用付勢部材１２２Ａの付勢力によって、商品Ｘを前方へ押し出す力が働いている。そのため、商品Ｘが前方へ押し出されると、最前列に配置された商品Ｘは、後方へ倒された商品落下防止板２００Ａに当接する。そして、スタンド部用付勢部材１２２Ａの付勢力によって、商品Ｘと共に商品落下防止板２００Ａも前方へ押し出され、商品落下防止板２００Ａは前方へ回動して、図４（ａ）のような元の状態へ戻るのである。なお、商品落下防止板２００Ａは、規制部２３０Ａによって前方側へそれ以上回動しないように規制されているので、スタンド部用付勢部材１２２Ａの付勢力がかかっていても、商品落下防止板２００Ａは、商品Ｘが前方から落下しないように支持することができる。
【００３２】
なお、図５では、商品落下防止板２００Ａが防止板用付勢部材を備えない場合に、スタンド部１２０Ａの付勢力を利用して、商品落下防止板２００Ａを元の状態へ自動的に戻していたが、これに限定されない。図３に示すように、商品落下防止板２００が防止板用付勢部材２２０の付勢力によって元の状態へ自動で戻る場合でも、スタンド部１２０Ａの付勢力を補助的に利用して、商品落下防止板２００を元の状態へ戻しても良い。
【００３３】
なお、本願発明の商品陳列ユニットは、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020178877.tif 000003
【図２】
2020178877.tif 000004
【図３】
2020178877.tif 000005
【図４】
2020178877.tif 000006
【図５】
2020178877.tif 000007